(57)【特許請求の範囲】
【請求項１】
先端に棒状の係止部材がＴ字状に結合された縫合糸からなる胃壁固定具と、
先端に該係止部材を収納できる収納部を有する中空の針本体を備える胃壁固定具穿刺針とに用いられる胃壁固定具用補助具であって、
該針本体の先端を覆って装着される筒状部と、
該筒状部の先端部に開口し該針本体の収納部に連通するガイド穴と、
該ガイド穴と該筒状部の外壁とを軸方向全体に亘って貫通するスリットとを有し、
該筒状部の後端部から該針本体の先端を挿入することで、該針本体の先端を覆うように該筒状部を装着した状態で、該筒状部の先端部に設けられた該ガイド穴から該係止部材を挿通して該係止部材を該収納部に収納させると共に、該スリットを介して該縫合糸を後方に引くことができ、該針本体に該係止部材を装着した状態で該胃壁固定具穿刺針から該筒状部を離脱させることができる
ことを特徴とする胃壁固定具用補助具。
【請求項２】
前記胃壁固定具穿刺針は、前記針本体の後端に連結された棒状の針基を備え、
前記胃壁固定具用補助具は、
該針基を保持する針基保持部と、
前記筒状部と該針基保持部とを連結すると共に該針本体を収納する溝を有する針保持部とを備える請求項１記載の胃壁固定具用補助具。
【発明の詳細な説明】
【技術分野】
【０００１】
本発明は、患者の胃等の臓器を皮膚側壁部に固定する胃壁固定具に用いられる補助具に関する。
【背景技術】
【０００２】
従来、患者の体内において胃等の臓器を皮膚側壁部に固定するために用いられる胃壁固定具として、患者の臓器の内壁側に設置される棒状の係止部材と、該係止部材の略中央と先端とがＴ字状に結合され患者の臓器の内壁と体外とを貫通する縫合糸と、該縫合糸の後端に結合され患者の体外において該縫合糸を所定の長さで固定することができる固定部材とを有するものが知られている（例えば、特許文献１参照）。
【０００３】
この胃壁固定具の係止部材は、先端に係止部材を収納できる中空の針本体を有する胃壁固定具穿刺針を用いることによって、患者の体内に設置される。
【０００４】
具体的には、まず、術者は、係止部材を前記外針の先端に収納し、その状態で、胃壁固定具穿刺針で患者の所定箇所を穿刺し、患者の臓器の内壁と体外とを貫通させ、次に、針本体から係止部材を押し出すことにより、係止部材を患者の体内に設置する。
【０００５】
さらに、胃壁固定具は、患者の体外の縫合糸を引くことで、係止部材が臓器の内壁に係合し、この状態で縫合糸を固定部材で固定することで、臓器を腹壁に固定することができる。
【先行技術文献】
【特許文献】
【０００６】
【特許文献１】特開平４−２２６６７６号公報
【発明の概要】
【発明が解決しようとする課題】
【０００７】
しかしながら、針本体の先端の穴は小さく、また、係止部材も小さな部品であることから、術者が係止部材を針本体の先端に収納する際には、針本体の先端によって誤刺を生じさせるおそれがある。
【０００８】
本発明は、かかる不都合を解消して、誤刺を防止できる胃壁固定具用補助具を提供することを目的とする。
【課題を解決するための手段】
【０００９】
かかる目的を達成するために、本発明の胃壁固定具用補助具は、先端に棒状の係止部材がＴ字状に結合された縫合糸からなる胃壁固定具と、先端に該係止部材を収納できる収納部を有する中空の針本体を備える胃壁固定具穿刺針とに用いられる胃壁固定具用補助具であって、該針本体の先端を覆って装着される筒状部と、該筒状部の先端部に開口し該針本体の収納部に連通するガイド穴と、該ガイド穴と該筒状部の外壁とを軸方向全体に亘って貫通するスリットとを有し、該筒状部の後端部から該針本体の先端を挿入することで、該針本体の先端を覆うように該筒状部を装着した状態で、該筒状部の先端部に設けられた該ガイド穴から該係止部材を挿通して該係止部材を該収納部に収納させると共に、該スリットを介して該縫合糸を後方に引くことができ、該針本体に該係止部材を装着した状態で該胃壁固定具穿刺針から該筒状部を離脱させることができることを特徴とする。
【００１０】
本発明の胃壁固定具用補助具は、筒状であり、胃壁固定具穿刺針の針本体の先端を覆った状態で針本体に装着される。またこの状態で、胃壁固定具用補助具は、そのガイド穴から、前記係止部材を挿通することができる。この挿通された係止部材は、ガイド穴に沿って導かれながら前記針本体の先端に嵌め込まれ、さらに押し込まれることにより針本体の収納部に収納される。そして、係止部材に結合された縫合糸は、筒状部の側面に設けられたスリットを介しての軸方向の先端から後端に向かって引くことができる。このスリットは、ガイド穴と該筒状部の外壁とを軸方向全体に亘って貫通している。そのため、穿刺針に該係止部材を装着した状態で該穿刺針から該筒状部を離脱させるときに、縫合糸は、スリットの間を通るため筒状部に引っかかることがない。
【００１１】
この結果、本発明の胃壁固定具用補助具は、胃壁固定具の係止部材を、針本体の先端を覆った状態で、その収納部に収納することができるので、係止部材を針本体に取り付けるときの誤刺を防止することができる。
【００１２】
本発明の胃壁固定具用補助具において、前記胃壁固定具穿刺針は、前記針本体の後端に連結された棒状の針基を備え、前記胃壁固定具用補助具は、該針基を保持する針基保持部と、前記筒状部と該針基保持部とを連結すると共に該針本体を収納する溝を有する針保持部とを備えることが好ましい。
【００１３】
この構成を備える胃壁固定具用補助具によれば、針本体の先端を針保持部の溝に接触させ、この状態から針本体の先端を筒状部方向にスライドさせていくことにより、針本体の先端を筒状部のガイド穴に装着することができる。
【００１４】
この結果、この構成を備える胃壁固定具用補助具は、胃壁固定具穿刺針に取り付けるときにも、針本体による誤刺を防止することができる。
【００１５】
さらに、この構成を備える胃壁固定具用補助具によれば、針本体の先端を筒状部のガイド穴に装着した状態で、胃壁固定具穿刺針の針基を針基保持部で保持することができる。
【００１６】
この結果、この構成を備える胃壁固定具用補助具は、針本体の先端をカバーした状態で取り扱うことができるので、誤刺を防止することができる。
【図面の簡単な説明】
【００１７】
【図１】本実施形態の胃壁固定具用補助具を示す平面図。
【図２】胃壁固定具穿刺針を示す平面図。
【図３】胃壁固定具を示す平面図。
【図４】本実施形態の胃壁固定具用補助具に胃壁固定具穿刺針を取り付ける状態を示す説明図。
【図５】胃壁固定具穿刺針を取り付けた胃壁固定具用補助具を示す平面図。
【図６】胃壁固定具穿刺針に胃壁固定具を取り付ける状態を示す説明図。
【発明を実施するための形態】
【００１８】
図１に示すように、本実施形態の胃壁固定具用補助具１は、合成樹脂製で一体成型されており、筒状部２と針基保持部３とこれらを連結する針保持部４とを備えている。
【００１９】
筒状部２は、後述の外針１１（針本体）の先端を覆って装着される中空の筒状の部材であり、先端に外針１１の収納部１５に連通するガイド穴５を備えている。この筒状部２の外壁には、軸方向全体に渡って貫通するスリット６を有している。針保持部４は、筒状部２に連結された棒状の部材であり、外針を収納する溝部７を有している。針基保持部３は、針保持部４に連結された板状の部材であり、後述の胃壁固定具穿刺針１０の針基１２を狭持するための爪部８を有している。
【００２０】
図２に示すように、胃壁固定具穿刺針１０は、中空の外針１１と、外針１１に連結された棒状の針基１２と、これらの間に設置された板状の縫合糸固定板１３と、針基１２に連結されたアンダーケース１４を備えている。
【００２１】
外針１１は、先端の内部空間に、後述の係止部材２２を収納できる収納部１５を有し、また、他の内部空間には、内針１６が挿入されている。この内針１６の後端は、針基１２に備えられたレバー１７に接続されており、このレバー１７を軸方向の前後に操作することにより、内針１６は外針１１の内部を前後すると共に、収納部１５に収納された後述の係止部材２２を内部空間から外部に押し出すことができる。
【００２２】
縫合糸固定板１３には、板状の部材の側面を表裏に貫通する狭持部１８が設けられており、後述の縫合糸２１を狭持することにより固定できる。
【００２３】
前記アンダーケース１４は、把持しやすいように棒状になっていると共に、針基１２に備えられたレバー１７と近接しているため、アンダーケース１４を握った手でそのままレバー１７の操作を容易にすることができる。
【００２４】
図３に示すように、胃壁固定具２０は、縫合糸２１と、縫合糸２１の先端にＴ字状に結合された棒状の係止部材２２と、縫合糸２１の後端に結合された固定部材２３とを備えている。この固定部材２３は、板状であり表裏を縫合糸で貫通されている。したがって、固定部材２３をスライドさせることにより、臓器を腹壁に固定する際に、係止部材２２と固定部材２３との間の縫合糸２１の長さを調整できる。
【００２５】
次に、本実施形態の胃壁固定具用補助具１の使用方法について説明する。
【００２６】
第１に、胃壁固定具用補助具１に胃壁固定具穿刺針１０を取り付ける方法について説明する。
【００２７】
図４（ａ）に示すように、まず、術者は、胃壁固定具穿刺針１０の外針１１の先端を針保持部４の溝部７に接触させる。
【００２８】
次に、術者は、図４（ｂ）に示すように、その接触させた状態から外針１１の先端を筒状部２方向にスライドさせていく。
【００２９】
その結果、図４（ｃ）に示すように、外針１１の先端を覆うように筒状部２が装着される。さらに、この状態から胃壁固定具穿刺針１０を胃壁固定具用補助具１に近づけることにより、図５に示すように、前記爪部８によって針基１２が狭持される。
【００３０】
したがって、胃壁固定具用補助具１は、外針１１によって誤刺することなく胃壁固定具穿刺針１０を取り付けることができる。また、取り付けられた胃壁固定具穿刺針１０は、筒状部２によって外針１１の先端が覆われ、針保持部４によって外針１１の全体が覆われ、また、爪部８で針基１２が固定されるので、手術時以外の取扱時においても外針１１による誤刺を防止することができる。
【００３１】
第２に、胃壁固定具用補助具１を介して胃壁固定具穿刺針１０に胃壁固定具２０を取り付ける方法について説明する。
【００３２】
図６（ａ）に示すように、まず、術者は、胃壁固定具用補助具１に胃壁固定具穿刺針１０が取り付けられた状態で、ガイド穴５に係止部材２２を挿通する。この結果、押し込まれた係止部材２２の先端は、ガイド穴５から筒状部２の内壁に沿って外針１１の先端にある収納部１５に導かれる。
【００３３】
次に、術者は、縫合糸２１を針基方向に引っ張る。この結果、図６（ｂ）に示すように、縫合糸２１の先端に結合された係止部材２２も針基１２方向に引っ張られることになり、係止部材２２は、外針１１の先端に一部が挿嵌された状態から、完全に外針１１の収納部１５に挿嵌された状態となる。
【００３４】
なお、術者は、引っ張った縫合糸２１を、そのままテンションを加えた状態で縫合糸固定板１３の狭持部１８に挟み込むことができる。
【００３５】
さらに、術者は、取り付けと反対の手順を行うことにより、胃壁固定具穿刺針１０から胃壁固定具用補助具１を取り外すことができる。胃壁固定具用補助具１は、スリット６と溝部７との開口されている方向が一致しているため、軸方向全体に渡って内壁と外壁を貫通する間隙が生じており、胃壁固定具穿刺針１０に係止部材２２を装着した状態で胃壁固定具用補助具１を取り外しても、縫合糸２１は、前記間隙を通るため筒状部２に引っかかることはない。
【００３６】
この結果、胃壁固定具用補助具１は、外針１１の全体を覆った状態で、胃壁固定具２０を胃壁固定具穿刺針１０に装着することができるので、外針１１による誤刺を防止することができる。
【００３７】
なお、縫合糸２１は、狭持部１８に固定されることから、患者の所定箇所を穿刺する際に手で縫合糸２１を抑える必要がない。また、縫合糸２１は、穿刺する方向と同方向の直線的に張られているので、外針１１に巻きつけて穿刺する場合に比べて、穿刺する際の抵抗が少なくなり、患者の負担を軽減することができる。
【符号の説明】
【００３８】
１…胃壁固定具用補助具、  ２…筒状部、  ５…ガイド穴、  ６…スリット、  １０…胃壁固定具穿刺針、  １１…針本体、  １５…収納部、  ２０…胃壁固定具、  ２１…縫合糸、  ２２…係止部材。
【図１】
0005687891.tif 000002
【図２】
0005687891.tif 000003
【図３】
0005687891.tif 000004
【図４】
0005687891.tif 000005
【図５】
0005687891.tif 000006
【図６】
0005687891.tif 000007